(57)【特許請求の範囲】
【請求項１】
白色をなし正または負に帯電する第１の粒子と前記第１の粒子と異なる色をなし前記第１の粒子と反対の極に帯電する第２の粒子とを、前記第２の粒子の色と補色の関係にある色の分散媒に分散してなる分散液が充填された複数の充填部を有する表示層を有し、
前記複数の充填部のそれぞれへ作用させる電界パターンを選択することにより、前記第１の粒子を前記充填部の前記表示面側に偏在させて前記表示面に前記第１の粒子の色を表示する第１の色表示状態、前記第２の粒子を前記充填部の前記表示面側に偏在させて前記表示面に前記第２の粒子の色を表示する第２の色表示状態、前記分散媒中に前記第２の粒子を分散させて前記表示面に前記第２の粒子と前記分散媒の混合色を表示する第３の色表示状態、および、前記第１の粒子および前記第２の粒子を前記充填部の中央部に位置させて前記表示面に前記分散媒の色を表示する第４の色表示状態のうちのいずれか１つの状態を選択することができることを特徴とする表示シート。
【請求項２】
前記第３の色表示状態では、前記第１の粒子が前記充填部の前記表示面と反対側に偏在する請求項１に記載の表示シート。
【請求項３】
前記第１の粒子の前記分散媒中の移動度は、前記第２の粒子の前記分散媒中の移動度よりも低い請求項２に記載の表示シート。
【請求項４】
前記第３の色表示状態では、前記第２の粒子は、前記分散媒中の前記表示面側にて分散しており、前記第１の粒子は、前記分散媒中の前記表示面と反対側にて分散している請求項１に記載の表示シート。
【請求項５】
前記複数の充填部のうち、少なくとも３つの前記充填部によって１画素が構成されており、
前記少なくとも３つの充填部に含まれる第１の充填部には、前記第１の粒子と赤色の前記第２の粒子とをシアン色の前記分散媒に分散してなる前記分散液が充填されており、第２の充填部には、前記第１の粒子と緑色の前記第２の粒子とをマゼンタ色の前記分散媒に分散してなる前記分散液が充填されており、第３の充填部には、前記第１の粒子と青色の前記第２の粒子とをイエロー色の前記分散媒に分散してなる前記分散液が充填されている請求項１ないし４のいずれかに記載の表示シート。
【請求項６】
前記複数の充填部のうち、少なくとも３つの前記充填部によって１画素が構成されており、
前記少なくとも３つの充填部に含まれる第１の充填部には、前記第１の粒子とシアン色の前記第２の粒子とを赤色の前記分散媒に分散してなる前記分散液が充填されており、第２の充填部には、前記第１の粒子とマゼンタ色の前記第２の粒子とを緑色の前記分散媒に分散してなる前記分散液が充填されており、第３の充填部には、前記第１の粒子とイエロー色の前記第２の粒子とを青色の前記分散媒に分散してなる前記分散液が充填されている請求項１ないし４のいずれかに記載の表示シート。
【請求項７】
前記画素において、前記第１の充填部、前記第２の充填部および前記第３の充填部のうちのいずれか１つの充填部内に存在する前記第２の粒子の色を表示する場合には、前記表示する色の前記第２の粒子を収容する前記充填部では、前記第２の粒子の色を表示し、他の充填部では、前記第１の粒子の色または前記第２の粒子の色と前記分散媒の色との混合色を表示する請求項５または６に記載の表示シート。
【請求項８】
前記他の充填部において、前記第１の粒子の色を表示するか、前記第２の粒子の色と前記分散媒の色との混合色を表示するかは、前記表示面を介して前記表示層に入射する光の量に基づいて選択する請求項７に記載の表示シート。
【請求項９】
前記画素において、前記第１の充填部、前記第２の充填部および前記第３の充填部のうちのいずれか１つの充填部内に存在する前記第２の粒子の色を表示する場合には、前記表示する色の前記第２の粒子を収容する前記充填部では、前記第２の粒子の色を表示し、他の充填部では、前記分散媒の色を表示する請求項５または６に記載の表示シート。
【請求項１０】
請求項１ないし９のいずれかに記載の表示シートを備えることを特徴とする表示装置。
【請求項１１】
請求項１０に記載の表示装置を備えることを特徴とする電子機器。
【発明の詳細な説明】
【技術分野】
【０００１】
本発明は、表示シート、表示装置および電子機器に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有しており、電子ペーパーの画像表示部として特に適している。
特許文献１には、対向配置された一対の電極（共通電極および複数の画素電極）と、これらの間に設けられた複数の分割セルとを有し、フルカラー表示が可能な電気泳動表示装置が記載されている。この電気泳動表示装置では、互いに隣り合う３つの分割セルで１画素が構成されている。具体的には、１つの分割セルには、赤色の電気泳動粒子をシアン色の分散媒に分散してなる分散液が充填されており、他の１つの分割セルには、緑色の電気泳動粒子をマゼンタ色の分散媒に分散してなる分散液が充填されており、残る１つの分割セルには、青色の電気泳動粒子をイエロー色の分散媒に分散してなる分散液が充填されている。そして、１画素中の各分割セルにおいて、電気泳動粒子の状態（偏在位置等）を制御することにより、当該１画素において所望の色を表するように構成されている。
【０００３】
特許文献１に記載の電気泳動表示装置では、次のようにして、所定画素にて白色を表示する。すなわち、前記所定画素を構成する３つの分割セルのうちの１つの分割セルでは、赤色の電気泳動粒子を共通電極側に移動して赤色を表示し、他の１つの分割セルでは、緑色の電気泳動粒子を共通電極側に移動して緑色を表示し、残る１つの分割セルでは、青色の電気泳動粒子を共通電極側に移動して青色を表示し、これら赤色、緑色および青色を合成することにより白色を表示する。
【０００４】
このように、特許文献１に記載の電気泳動表示装置では、赤色の電気泳動粒子、緑色の電気泳動粒子および青色の電気泳動粒子によって光を反射することにより、所定画素において白色を表示しているが、これら３つの電気泳動粒子は、その反射率が白色の電気泳動粒子よりも低い。そのため、赤色の電気泳動粒子、緑色の電気泳動粒子および青色の電気泳動粒子によって光を反射することにより表示される白色の明るさは、白色の電気泳動粒子によって光を反射することにより表示される白色の明るさに比べて低い。
したがって、特許文献１に記載の電気泳動表示装置では、カラー表示は可能であるが、鮮明で明るい白色を表示することができず、高いコントラストを発揮することができないという問題がある。
【先行技術文献】
【特許文献】
【０００５】
【特許文献１】特開２００９−１０４２１５号公報
【発明の概要】
【発明が解決しようとする課題】
【０００６】
本発明の目的は、カラー表示が可能で、かつ鮮明で明るい白色を表示可能とすることにより高いコントラストを発揮することのできる表示シート、この表示シートを用いた表示装置および電子機器を提供することにある。
【課題を解決するための手段】
【０００７】
このような目的は、下記の本発明により達成される。
本発明の表示シートは、白色をなし正または負に帯電する第１の粒子と前記第１の粒子と異なる色をなし前記第１の粒子と反対の極に帯電する第２の粒子とを、前記第２の粒子の色と補色の関係にある色の分散媒に分散してなる分散液が充填された複数の充填部を有する表示層を有し、
前記複数の充填部のそれぞれへ作用させる電界パターンを選択することにより、前記第１の粒子を前記充填部の前記表示面側に偏在させて前記表示面に前記第１の粒子の色を表示する第１の色表示状態、前記第２の粒子を前記充填部の前記表示面側に偏在させて前記表示面に前記第２の粒子の色を表示する第２の色表示状態、前記分散媒中に前記第２の粒子を分散させて前記表示面に前記第２の粒子と前記分散媒の混合色を表示する第３の色表示状態、および、前記第１の粒子および前記第２の粒子を前記充填部の中央部に位置させて前記表示面に前記分散媒の色を表示する第４の色表示状態のうちのいずれか１つの状態を選択することができることを特徴とする。
これにより、カラー表示が可能で、かつ鮮明で明るい白色を表示可能とすることにより高いコントラストを発揮することのできる表示シートを提供することができる。
【０００９】
本発明の表示シートでは、前記第３の色表示状態では、前記第１の粒子が前記充填部の前記表示面と反対側に偏在することが好ましい。
これにより、より鮮明な第３の色表示状態（すなわち、より反射率の低い黒色が表示された状態）とすることができる。
本発明の表示シートでは、前記第１の粒子の前記分散媒中の移動度は、前記第２の粒子の前記分散媒中の移動度よりも低いことが好ましい。
これにより、より簡単に、第３の色表示状態にて、第１の粒子を充填部の表示面と反対側に偏在させることができる。
【００１０】
本発明の表示シートでは、前記第３の色表示状態では、前記第２の粒子は、前記分散媒中の前記表示面側にて分散しており、前記第１の粒子は、前記分散媒中の前記表示面と反対側にて分散していることが好ましい。
これにより、鮮明な第３の色表示状態（すなわち、より反射率の低い黒色が表示された状態）とすることができる。
【００１２】
本発明の表示シートでは、前記複数の充填部のうち、少なくとも３つの前記充填部によって１画素が構成されており、
前記少なくとも３つの充填部に含まれる第１の充填部には、前記第１の粒子と赤色の前記第２の粒子とをシアン色の前記分散媒に分散してなる前記分散液が充填されており、第２の充填部には、前記第１の粒子と緑色の前記第２の粒子とをマゼンタ色の前記分散媒に分散してなる前記分散液が充填されており、第３の充填部には、前記第１の粒子と青色の前記第２の粒子とをイエロー色の前記分散媒に分散してなる前記分散液が充填されていることが好ましい。
これにより、フルカラー表示を行うことができ、優れた表示特性を発揮することができる。
【００１３】
本発明の表示シートでは、前記複数の充填部のうち、少なくとも３つの前記充填部によって１画素が構成されており、
前記少なくとも３つの充填部に含まれる第１の充填部には、前記第１の粒子とシアン色の前記第２の粒子とを赤色の前記分散媒に分散してなる前記分散液が充填されており、第２の充填部には、前記第１の粒子とマゼンタ色の前記第２の粒子とを緑色の前記分散媒に分散してなる前記分散液が充填されており、第３の充填部には、前記第１の粒子とイエロー色の前記第２の粒子とを青色の前記分散媒に分散してなる前記分散液が充填されていることが好ましい。
これにより、フルカラー表示を行うことができ、優れた表示特性を発揮することができる。
【００１４】
本発明の表示シートでは、前記画素において、前記第１の充填部、前記第２の充填部および前記第３の充填部のうちのいずれか１つの充填部内に存在する前記第２の粒子の色を表示する場合には、前記表示する色の前記第２の粒子を収容する前記充填部では、前記第２の粒子の色を表示し、他の充填部では、前記第１の粒子の色または前記第２の粒子の色と前記分散媒の色との混合色を表示することが好ましい。
これにより、鮮明に第２の粒子の色を表示することができる。また、他の２つのセルを共に白色（第１の粒子の色）を表示させるか、一方に白色を表示させ他方に黒色（第２の粒子の色と分散媒の色の混合色）を表示させるか、共に黒色を表示させるかを選択することにより、明るさの異なる赤色を表示することができる。
【００１５】
本発明の表示シートでは、前記他の充填部において、前記第１の粒子の色を表示するか、前記第２の粒子の色と前記分散媒の色との混合色を表示するかは、前記表示面を介して前記表示層に入射する光の量に基づいて選択することが好ましい。
これにより、使用環境に適した画像、すなわち使用者が視認しやすい画像を表示することができる。
【００１６】
本発明の表示シートでは、前記画素において、前記第１の充填部、前記第２の充填部および前記第３の充填部のうちのいずれか１つの充填部内に存在する前記第２の粒子の色を表示する場合には、前記表示する色の前記第２の粒子を収容する前記充填部では、前記第２の粒子の色を表示し、他の充填部では、前記分散媒の色を表示することが好ましい。
これにより、優れた色合いの第２の粒子の色を表示することができる。
【００１７】
本発明の表示装置は、本発明の表示シートを備えることを特徴とする。
これにより、カラー表示が可能で、かつ鮮明で明るい白色を表示可能とすることにより高いコントラストを発揮することのできる表示装置を提供することができる。
本発明の電子機器は、本発明の表示装置を備えることを特徴とする。
これにより、カラー表示が可能で、かつ鮮明で明るい白色を表示可能とすることにより高いコントラストを発揮することのできる電子機器を提供することができる。
【図面の簡単な説明】
【００１８】
【図１】本発明の表示装置の第１実施形態を示す断面図である。
【図２】図１に示す表示装置の平面図である。
【図３】図１に示す表示装置の１つの画素を示した拡大断面図である。
【図４】図１に示す表示装置の作動を示す断面図である。
【図５】図１に示す表示装置の作動を示す断面図である。
【図６】図１に示す表示装置の作動を示す断面図である。
【図７】図５の状態から図６の状態へ変化させる際に印加する電圧の波形を示す図である。
【図８】図１に示す表示装置の作動を示す断面図である。
【図９】図１に示す表示装置の作動を示す断面図である。
【図１０】本発明の表示装置の第２実施形態を示す断面図である。
【図１１】本発明の表示装置の第３実施形態を示す平面図である。
【図１２】本発明の電子機器を電子ペーパーに適用した場合の実施形態を示す斜視図である。
【図１３】本発明の電子機器をディスプレイに適用した場合の実施形態を示す図である。
【発明を実施するための形態】
【００１９】
以下、本発明の表示シート、表示装置および電子機器を添付図面に示す好適な実施形態に基づいて詳細に説明する。
１．表示装置
まず、本発明の表示シートを組み込んだ表示装置について説明する。
＜第１実施形態＞
図１は、本発明の表示装置の第１実施形態を示す断面図、図２は、図１に示す表示装置の平面図、図３は、図１に示す表示装置の１つの画素を示した拡大断面図、図４、図５および図６は、それぞれ、図１に示す表示装置の作動を示す断面図、図７は、図５の状態から図６の状態へ変化させる際に印加する電圧の波形を示す図、図８および図９は、それぞれ、図１に示す表示装置の作動を示す断面図である。なお、以下では、説明の都合上、図１、図２、図４、図５、図６、図８および図９中の上側を「上」、下側を「下」として説明を行う。
【００２０】
図１に示す表示装置（電気泳動表示装置）２０は、表示シート（フロントプレーン）２１と、回路基板（バックプレーン）２２とを有している。
図１に示すように、表示シート２１は、平板状の基部２と基部２の下面に設けられた第２の電極４とを備える基板１２と、基板１２上に設けられ、分散液１００が充填された複数のセル（充填部）４１０を有する表示層４００とを有している。
一方、回路基板２２は、平板状の基部１と基部１の上面に設けられた複数の第１の電極３とを備える対向基板１１と、この対向基板１１（基部１）に設けられた、例えばＴＦＴ等のスイッチング素子を含む回路（図示せず）とを有している。
【００２１】
以下、各部の構成について順次説明する。
基部１および基部２は、それぞれ、シート状（平板状）の部材で構成され、これらの間に配置される各部材を支持および保護する機能を有する。各基部１、２は、それぞれ、可撓性を有するもの、硬質なもののいずれであってもよいが、可撓性を有するものであるのが好ましい。可撓性を有する基部１、２を用いることにより、可撓性を有する表示装置２０、すなわち、例えば電子ペーパーを構築する上で有用な表示装置２０を得ることができる。
【００２２】
各基部（基材層）１、２を可撓性を有するものとする場合、その構成材料としては、それぞれ、例えば、ＰＥＴ（ポリエチレンテレフタレート）、ＰＥＮ（ポリエチレンナフタレート）等のポリエステル、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００２３】
このような基部１、２の平均厚さは、それぞれ、構成材料、用途等により適宜設定され、特に限定されないが、可撓性を有するものとする場合、２０μｍ以上、５００μｍ以下程度であるのが好ましく、２５μｍ以上、２５０μｍ以下程度であるのがより好ましい。これにより、表示装置２０の柔軟性と強度との調和を図りつつ、表示装置２０の小型化（特に、薄型化）を図ることができる。
【００２４】
これらの基部１、２の表示層４００側の面、すなわち、基部１の上面および基部２の下面に、それぞれ、層状（膜状）をなす第１の電極３および第２の電極４が設けられている。本実施形態では、第２の電極４が共通電極とされ、第１の電極３がマトリックス状（行列状）に分割された個別電極（前記スイッチング素子に接続された画素電極）とされている。また、第１の電極３は、表示層４００が有する各セル４１０に対応して（１つのセル４１０に１つの第１の電極３が位置するように）設けられている。なお、第２の電極４も、第１の電極３と同様に複数に分割するようにしてもよい。
【００２５】
各電極３、４の構成材料としては、それぞれ、実質的に導電性を有するものであれば特に限定されず、例えば、金、銀、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）、インジウムスズ酸化物（ＩＴＯ）、フッ素ドープ酸化スズ（ＦＴＯ）等の導電性酸化物材料のような各種導電性材料が挙げられ、これらのうちの１種または２種以上を組み合わせて用いることができる。
【００２６】
このような電極３、４の平均厚さは、それぞれ、構成材料、用途等により適宜設定され、特に限定されないが、０．０１μｍ以上、１０μｍ以下程度であるのが好ましく、０．０２μｍ以上、５μｍ以下程度であるのがより好ましい。
ここで、各基部１、２および各電極３、４のうち、表示面側に配置される基部および電極は、それぞれ、光透過性を有するもの、すなわち、実質的に透明（無色透明、有色透明または半透明）とされる。本実施形態では、基板１２の表面（上面）が表示面１２１を構成するため、少なくとも基部２および第２の電極４は、実質的に透明とされる。これにより、分散液１００中における粒子５、６の状態、すなわち表示装置２０に表示された情報（画像）を表示面１２１側から目視により容易に認識することができる。
【００２７】
表示シート２１では、第２の電極４の下面に接触して、表示層４００が設けられている。表示層４００は、分散液（電気泳動分散液）１００が充填（封入）された複数のセル（充填部）４１０がマトリクス状に配列することにより構成されている。なお、分散液１００は、互いに反対の極に帯電した第１の粒子５および第２の粒子６を分散媒（液相分散媒）７に分散してなる。
【００２８】
図１に示すように、表示層４００は、複数の凹部４０１ａがマトリクス状（行列状）に形成された基体４０１と、凹部４０１ａの開口を覆う（塞ぐ）ように基体４０１に接合された蓋体４０２とを有しており、これにより複数のセル４１０が形成されている。
基体４０１は、比較的高い絶縁性と、分散液１００の不透過性とを有している。このような基体４０１の構成材料としては、特に限定されず、例えば、エポキシ系樹脂、アクリル系樹脂、ウレタン系樹脂、メラミン系樹脂、フェノール系樹脂等の各種樹脂材料や、シリカ、アルミナ、チタニア等の各種セラミックス材料等が挙げられ、これらのうちの１種または２種以上を組み合わせて用いることができる。
【００２９】
一方の蓋体４０２も、比較的高い絶縁性と、分散液１００の不透過性とを有している。また、蓋体４０２は、実質的に無色透明であり、セル４１０の外部からセル４１０内を視認することができるようになっている。このような蓋体４０２の構成材料としては、特に限定されず、例えば、ポリエチレン、ポリプロピレン、エチレン−酢酸ビニル共重合体等のポリオレフィン、変性ポリオレフィン、ポリアミド（例：ナイロン６、ナイロン６６）、スチレン系、ポリ塩化ビニル系、ポリウレタン系、ポリエステル系、フッ素ゴム系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００３０】
図２に示すように、表示装置２０では、隣り合う３つのセル４１０で１つの画素Ｐｉｘを構成しており、さらに、このような構成の画素Ｐｉｘがマトリクス状に複数配列している。
各画素Ｐｉｘは、それぞれ同様の構成をなしているため、以下では、説明の便宜上、１つの画素Ｐｉｘについて代表して説明し、その他の画素Ｐｉｘについては、その説明を省略する。また、以下では、画素Ｐｉｘを構成する３つのセル４１０を、第１のセル４１０Ａ、第２のセル４１０Ｂおよび第３のセル４１０Ｃとし、第１のセル４１０Ａに充填された分散液１００を分散液１００Ａ、第２のセル４１０Ｂに充填された分散液１００を分散液１００Ｂ、第３のセル４１０Ｃに充填された分散液１００を分散液１００Ｃとして説明する。
【００３１】
図３に示すように、第１のセル４１０Ａに充填された分散液１００Ａは、白色をなす白色粒子（第１の粒子）５Ａと、赤色をなす赤色粒子（第２の粒子）６Ａをシアン色をなす分散媒７Ａに分散（懸濁）してなる。白色粒子５Ａおよび赤色粒子６Ａは、互いに反対の極に帯電した電気泳動粒子である。すなわち、白色粒子５Ａおよび赤色粒子６Ａのうちの一方の粒子が正に帯電し、他方の粒子が負に帯電している。また、これら白色粒子５Ａおよび赤色粒子６Ａを分散する分散媒７Ａの色（シアン色）は、赤色粒子６Ａの色（赤色）と補色の関係にある。
【００３２】
また、第２のセル４１０Ｂに充填された分散液１００Ｂは、白色をなす白色粒子（第１の粒子）５Ｂと、緑色をなす緑色粒子（第２の粒子）６Ｂをマゼンタ色をなす分散媒７Ｂに分散（懸濁）してなる。白色粒子５Ｂおよび緑色粒子６Ｂは、互いに反対の極に帯電した電気泳動粒子である。すなわち、白色粒子５Ｂおよび緑色粒子６Ｂのうちの一方の粒子が正に帯電し、他方の粒子が負に帯電している。また、これら白色粒子５Ｂおよび緑色粒子６Ｂを分散する分散媒７Ｂの色（マゼンタ色）は、緑色粒子６Ｂの色（緑色）と補色の関係にある。
【００３３】
また、第３のセル４１０Ｃに充填された分散液１００Ｃは、白色をなす白色粒子（第１の粒子）５Ｃと、青色をなす青色粒子（第２の粒子）６Ｃをイエロー色をなす分散媒７Ｃに分散（懸濁）してなる。白色粒子５Ｃおよび青色粒子６Ｃは、互いに反対の極に帯電した電気泳動粒子である。すなわち、白色粒子５Ｃおよび青色粒子６Ｃのうちの一方の粒子が正に帯電し、他方の粒子が負に帯電している。また、これら白色粒子５Ｃおよび青色粒子６Ｃを分散する分散媒７Ｃの色（イエロー色）は、青色粒子６Ｃの色（青色）と補色の関係にある。
これら電気泳動粒子（白色粒子５Ａ、５Ｂ、５Ｃ、赤色粒子６Ａ、緑色粒子６Ｂおよび青色粒子６Ｃ。以下同様）の分散媒７（７Ａ、７Ｂおよび７Ｃ）への分散は、例えば、ペイントシェーカー法、ボールミル法、メディアミル法、超音波分散法、撹拌分散法等のうちの１種または２種以上を組み合わせて行うことができる。
【００３４】
分散媒７（７Ａ、７Ｂおよび７Ｃ）としては、基体４０１および蓋体４０２に対する溶解性が低く、かつ比較的高い絶縁性を有するものが好適に使用される。かかる分散媒７としては、例えば、各種水（例えば、蒸留水、純水等）、メタノール等のアルコール類、メチルセロソルブ等のセロソルブ類、酢酸メチル等のエステル類、アセトン等のケトン類、ペンタン等の脂肪族炭化水素類（流動パラフィン）、シクロヘキサン等の脂環式炭化水素類、ベンゼン等の芳香族炭化水素類、塩化メチレン等のハロゲン化炭化水素類、ピリジン等の芳香族復素環類、アセトニトリル等のニトリル類、Ｎ，Ｎ−ジメチルホルムアミド等のアミド類、カルボン酸塩またはその他の各種油類等が挙げられ、これらを単独または混合物として用いることができる。
【００３５】
中でも、分散媒７としては、脂肪族炭化水素類（流動パラフィン）、またはシリコーンオイルを主成分とするものが好ましい。流動パラフィン、またはシリコーンオイルを主成分とする分散媒７は、電気泳動粒子の凝集抑制効果が高く、かつセル４１０の構成材料との親和性が低い（溶解性が低い）ことから好ましい。これにより、表示装置２０の表示性能が経時的に劣化するのをより確実に防止または抑制することができる。また、流動パラフィン、またはシリコーンオイルは、不飽和結合を有しないため耐候性に優れ、および安全性も高いという点からも好ましい。
【００３６】
また、本実施形態では、分散媒７Ａ、７Ｂおよび７Ｃを、それぞれ、シアン色、マゼンタ色およびイエロー色に着色するために、分散媒７Ａ、７Ｂおよび７Ｃに、例えば、アントラキノン系染料、アゾ系染料、インジゴイド系染料等の各種染料を適宜溶解する。
また、分散媒７中には、必要に応じて、例えば、電解質、アルケニルコハク酸エステルのような界面活性剤（アニオン性またはカチオン性）、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加するようにしてもよい。
【００３７】
電気泳動粒子は、荷電を有し、電界が作用することにより、分散媒７中を電気泳動し得る粒子である。かかる電気泳動粒子には、荷電を有するものであれば、いかなるものをも用いることができ、特に限定はされないが、顔料粒子、樹脂粒子またはこれらの複合粒子のうちの少なくとも１種が好適に使用される。これらの粒子は、製造が容易であるとともに、荷電の制御を比較的容易に行うことができるという利点を有している。
【００３８】
顔料粒子を構成する顔料としては、例えば、アニリンブラック、カーボンブラック、チタンブラック、亜クロム酸銅等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００３９】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
顔料粒子の表面を他の顔料で被覆した粒子としては、例えば、酸化チタン粒子の表面を、酸化珪素や酸化アルミニウムで被覆したものを例示することができ、かかる粒子は、白色粒子５Ａ、５Ｂ、５Ｃとして好適に用いられる。
【００４０】
また、電気泳動粒子の形状は、特に限定されないが、球形状であるのが好ましい。
電気泳動粒子は、分散媒７中での分散性を考慮した場合、より小さいものが好適に用いられ、具体的には、その平均粒径が、１０ｎｍ以上、５００ｎｍ以下程度であるのが好ましく、２０ｎｍ以上、３００ｎｍ以下程度であるのがより好ましい。電気泳動粒子の平均粒径を前記範囲とすることにより、電気泳動粒子同士の凝集や、分散媒７中における沈降を確実に防止して、分散媒７中に分散させることができ、その結果、表示装置２０の表示品質の劣化を好適に防止することができる。
【００４１】
なお、本実施形態のように、２種の異なる粒子を用いる場合、２種の粒子の平均粒径を異ならせること、特に、白色粒子５Ａ、５Ｂ、５Ｃの平均粒径を赤色粒子６Ａ、緑色粒子６Ｂ、青色粒子６Ｃの平均粒径より大きく設定するのが好ましい。これにより、表示装置２０の表示コントラストをより向上させることや、保持特性を向上させることができる。具体的には、赤色粒子６Ａ、緑色粒子６Ｂ、青色粒子６Ｃの平均粒径を２０ｎｍ以上、１００ｎｍ以下程度、白色粒子５Ａ、５Ｂ、５Ｃの平均粒径を１５０ｎｍ以上、３００ｎｍ以下程度とするのが好ましい。
【００４２】
また、電気泳動粒子の比重は、分散媒７の比重とほぼ等しくなるように設定されているのが好ましい。これにより、電気泳動粒子は、電極３、４間への電圧の印加を停止した後においても、分散媒７中において一定の位置に長時間滞留することができる。すなわち、表示装置２０にメモリー性を付与することができ、表示された情報が長時間保持されることとなる。
【００４３】
２．表示装置の作動方法
このような表示装置２０は、次のようにして作動する。
表示装置２０の第１の電極３と第２の電極４との間に電圧を印加すると、これらの間に電界が生じる。この電界に従って、電気泳動粒子（白色粒子５Ａ、５Ｂ、５Ｃ、赤色粒子６Ａ、緑色粒子６Ｂ、青色粒子６Ｃ）は、電極３、４のいずれかに向かって移動（電気泳動）する。以下、白色粒子５Ａ、５Ｂ、５Ｃとして正荷電を有するものを用い、赤色粒子６Ａ、緑色粒子６Ｂ、青色粒子６Ｃとして負荷電のものを用いた場合について代表して説明する。
【００４４】
まず、第１のセル４１０Ａを用いて電気泳動粒子（白色粒子５Ａ、赤色粒子６Ａ）の泳動を説明する。なお、下記「赤色粒子６Ａ」および「分散媒７Ａ」をそれぞれ「緑色粒子６Ｂ」および「分散媒７Ｂ」に置き換えることで第２のセル４１０Ｂ内の電気泳動粒子（白色粒子５Ｂ、緑色粒子６Ｂ）の泳動を説明することができ、「青色粒子６Ｃ」および「分散媒７Ｃ」に置き換えることで第３のセル４１０Ｃ内の電気泳動粒子（白色粒子５Ｃ、青色粒子６Ｃ）の泳動を説明することができる。
【００４５】
・白色表示状態（第１の色表示状態）
図４に示すように、第１の電極３を正電位とすると、白色粒子５Ａは、第２の電極４側に移動して第２の電極４に集まり（偏在し）、赤色粒子６Ａは、第１の電極３側に移動して第１の電極３に集まる（偏在する）。このため、表示装置２０の表示面１２１側から第１のセル４１０Ａを見ると、白色粒子５Ａの色である白色が見えることとなる（この状態を「白色表示状態」とも言う）。
なお、本願明細書において、「偏在」とは、複数の白色粒子５Ａ（赤色粒子６Ａ）が、セル４１０の内壁や他の粒子と接触することによって、実質的に直前の移動方向への移動ができない状態で集まっていることを言う（以下同様である）。
【００４６】
・赤色表示状態（第２の色表示状態）
図５に示すように、第１の電極３を負電位とすると、赤色粒子６Ａは、第２の電極４側に移動して第２の電極４に集まり（偏在し）、白粒子５Ａは、第１の電極３側に移動して第１の電極３に集まる（偏在する）。このため、表示装置２０の表示面１２１側から第１のセル４１０Ａを見ると、赤色粒子６Ａの色である赤色が見えることとなる（この状態を「赤色表示状態」とも言う）。
【００４７】
・黒色表示状態（第３の色表示状態）
例えば、赤色表示状態のときに、第１の電極３を正電位とし、白色粒子５Ａを第２の電極４側に移動させるとともに、赤色粒子６Ａを第１の電極３側に移動させる。そして、このような粒子の移動によって、図６に示すような、第１のセル４１０内の上側（第２の電極４側）で赤色粒子６Ａが分散し、下側（第１の電極３側）で白色粒子５Ａが分散した状態となったときに、第１の電極３への電圧の印加を停止する。この状態で、表示装置２０の表示面１２１側から第１のセル４１０Ａを見ると、赤色粒子６Ａの色である赤色と、分散媒７Ａの色であるシアン色との混合色である黒色が見えることとなる（この状態を「黒色表示状態」とも言う）。
なお、本願明細書において、「分散」とは、複数の白色粒子５Ａ（赤色粒子６Ａ）が、セル４１０内でそれぞれ離間しながら、すなわち直前の移動方向への移動が可能な状態で、実質的に均一に散らばっていること言う。
【００４８】
なお、赤色表示状態から黒色表示状態とするために第１の電極３に印加する電圧（電位）としては、白色表示状態とするために印加する電圧（電位）よりも、その強さを弱くするか、印加時間を短くするか、またはその両方とするのが好ましい。例えば、図７に示すように、白色表示状態とするために第１の電極３に印加する電圧がＶ１である場合、赤色表示状態から黒色表示状態とするために第１の電極３に印加する電圧は、Ｖ２、Ｖ３またはＶ４であることが好ましい。
このような電圧を印加することにより、赤色粒子６Ａが移動しすぎる（すなわち、第１の電極３まで移動してしまう）のを防止しつつ、白色粒子５Ａが移動しすぎるのを防止することができ、第１のセル４１０Ａの状態を赤色表示状態から黒色表示状態へ、より簡単に、変化させることができる。
【００４９】
ここで、黒色表示状態では、図８に示すように、白色粒子５Ａを第１の電極３に集めておくことが好ましい。これにより、白色粒子５Ａの分散媒７中への分散が防止され、赤色粒子６Ａの色と分散媒７Ａの色との混合色である黒色に、白色粒子５Ａの色がさらに混合されるのを防止できる。そのため、黒色表示状態にて、より鮮明な黒色（すなわち、より反射率の低い黒色）を表示することができる。
【００５０】
黒色表示状態において、白色粒子５Ａを第１の電極３に集めておく方法として、例えば、白色粒子５Ａの移動度（所定電界が作用したときの単位時間当たりの移動距離）を赤色粒子６Ａの移動度よりも低くする方法が好ましい。この方法によれば、簡単かつ確実に、前述したような電位（赤色表示状態から黒色表示状態とするための電位）を第１の電極３に加え、赤色粒子６Ａを、第２の電極４に集まった状態から分散媒７中に分散した状態へ変化させても、この赤色粒子６Ａよりも移動度の低い白色粒子５Ａを第１の電極３に集まったままの状態（または僅かに第２の電極４側に移動した状態）に維持することができる。
なお、白色粒子５Ａおよび赤色粒子６Ａの移動度は、それぞれ、粒子が有する電荷の量や粒子の重さに依存する。そのため、白色粒子５Ａおよび赤色粒子６Ａについて、それぞれ、電荷の量や粒子の重さを適宜設定することにより、簡単に、白色粒子５Ａの移動度を赤色粒子６Ａの移動度よりも低くすることができる。
【００５１】
特に、黒色表示状態において白色粒子５Ａを第１の電極３に集め、より鮮明な黒色を表示するという観点からすれば、赤色粒子６Ａの比重を分散媒７Ａの比重と等しくし、白色粒子５Ａの比重を分散媒７Ａの比重よりも重くするのが好ましい。これにより、第１に、簡単に、白色粒子５Ａの移動度を赤色粒子６Ａの移動度よりも低くすることができる。第２に、赤色表示状態から黒色表示状態とするための電位が第１の電極３に加えられ、それにより白色粒子５Ａが第２の電極４側に移動しても、電位を加え終えた後に、白色粒子５Ａが自重により下側（第１の電極３側）に移動（沈降）するため、より確実に、黒色表示状態において、白色粒子５Ａを第１の電極３に集めておくことができる。第３に、電位を加え終えた後でも、赤色粒子６Ａが分散媒７中において分散した状態を長時間滞留することができる。
【００５２】
以上、赤色表示状態から黒色表示状態とする場合について説明したが、白色表示状態から黒色表示状態としてもよい。この場合には、白色表示状態のときに、第１の電極３を負電位とし、白色粒子５Ａを第１の電極３側に移動させるとともに、赤色粒子６Ａを第２の電極４側に移動させる。そして、このような粒子の移動によって、図６に示すように、第１のセル４１０内の上側（第２の電極４側）で赤色粒子６Ａが分散し、下側（第１の電極３側）で白色粒子５Ａが分散した状態となったときに、第１の電極３への電圧の印加を停止すればよい。
【００５３】
・シアン色表示状態（第４の色表示状態）
例えば、赤色表示状態のときに、第１の電極３を正電位とし、白色粒子５Ａを第２の電極４側に移動させるとともに、赤色粒子６Ａを第１の電極３側に移動させる。そして、このような粒子の移動によって、図９に示すような、第１のセル４１０内の中央部で赤色粒子６Ａおよび白色粒子５Ａが分散する状態となったときに、第１の電極３への電圧の印加を停止する。この状態で、表示装置２０の表示面１２１側から第１のセル４１０Ａを見ると、赤色粒子６Ａや白色粒子５Ａはほとんど視認されず、分散媒７Ａの色であるシアン色が見えることとなる（この状態を「シアン色表示状態」とも言う）。
なお、シアン色表示状態では、前述したように白色粒子５Ａの比重を分散媒７Ａの比重よりも重くすることにより、赤色粒子６Ａをセル４１０の中央部に分散させ、白色粒子５Ａを第１の電極３に集めてもよい。
【００５４】
以上、第１のセル４１０Ａを用いて電気泳動粒子（白色粒子５Ａ、赤色粒子６Ａ）の泳動を説明した。上記説明と同様に、第２のセル４１０Ｂでも、白色表示状態（第１の色表示状態）と、緑色表示状態（第２の色表示状態）と、黒色表示状態（第３の色表示状態）と、マゼンタ色表示状態（第４の色表示状態）とを選択することができる。また、第３のセル４１０Ｃでも、白色表示状態（第１の色表示状態）と、青色表示状態（第２の色表示状態）と、黒色表示状態（第３の色表示状態）と、イエロー色表示状態（第４の色表示状態）とを選択することができる。
【００５５】
次いで、上記のような表示が可能な第１のセル４１０Ａ、第２のセル４１０Ｂおよび第３のセル４１０Ｃで構成された１つの画素Ｐｉｘの色表示について下記の表１に基づいて説明する。なお、表１に示す「Ｗ」は、白色表示状態を言い、「ＢＫ」は、黒色表示状態を言い、「Ｒ」は、赤色表示状態を言い、「Ｇ」は、緑色表示状態を言い、「Ｂ」は、青色表示状態を言い、「Ｃ」は、シアン色表示状態を言い、「Ｍ」は、マゼンタ色表示状態を言い、「Ｙ」は、イエロー色表示状態を言う。
【００５６】
【表１】
0005540773.tif 000002
【００５７】
・白色表示
表１に示すように、画素Ｐｉｘに白色を表示させるパターンは、少なくとも３通りある。具体的には、各セル４１０Ａ、４１０Ｂ、４１０Ｃを白色表示状態とするパターン（Ｗ１）と、第１のセル４１０Ａを赤色表示状態とし、第２のセル４１０Ｂを緑色表示状態とし、第３のセル４１０Ｃを青色表示状態とするパターン（Ｗ２）と、第１のセル４１０Ａをシアン色表示状態とし、第２のセル４１０Ｂをマゼンタ色表示状態とし、第３のセル４１０Ｃをイエロー色表示状態とするパターン（Ｗ３）とを有している。
これら３つのパターン（Ｗ１）〜（Ｗ３）のうちのパターン（Ｗ１）が、最も鮮明で明るい白色（すなわち反射率が最も高い白色）を表示することができる点で好ましい。すなわち、パターン（Ｗ１）で白色を表示することにより、高いコントラストの画像を表示することができる。
【００５８】
・赤色表示
表１に示すように、画素Ｐｉｘに赤色を表示させるパターンは、少なくとも６通りある。具体的には、第１のセル４１０Ａを赤色表示状態とし、第２のセル４１０Ｂおよび第３のセル４１０Ｃをそれぞれ白色表示状態とするパターン（Ｒ１）と、第１のセル４１０Ａを赤色表示状態とし、第２のセル４１０Ｂおよび第３のセル４１０Ｃのいずれか一方を白色表示状態、他方を黒色表示状態とするパターン（Ｒ２）、（Ｒ３）と、第１のセル４１０Ａを赤色表示状態とし、第２のセル４１０Ｂおよび第３のセル４１０Ｃをそれぞれ黒色表示状態とするパターン（Ｒ４）と、第１のセル４１０Ａを赤色表示状態とし、第２のセル４１０Ｂをマゼンタ色表示状態とし、第３のセル４１０Ｃをイエロー色表示状態とするパターン（Ｒ５）と、第１のセル４１０Ａを白色表示状態とし、第２のセル４１０Ｂをマゼンタ色表示状態とし、第３のセル４１０Ｃをイエロー色表示状態とするパターン（Ｒ６）とを有している。
【００５９】
パターン（Ｒ１）〜（Ｒ４）のうち、パターン（Ｒ１）が最も明るい赤色を表示することができ、パターン（Ｒ４）が最も暗い赤色を表示することができる。パターン（Ｒ２）およびパターン（Ｒ３）は、パターン（Ｒ１）とパターン（Ｒ４）の中間の明るさを有する赤色を表示することができる。
また、パターン（Ｒ５）は、６つのパターンのうち、最も色合いに優れた（すなわち、最も濃い）赤色を表示することができる。具体的には、第２のセル４１０Ｂで表示されているマゼンタ色と第３のセル４１０Ｃで表示されているイエロー色の混合色は、赤色である。そのため、第１のセル４１０Ａで表示される赤色と、第２、第３のセル４１０Ｂ、４１０Ｃで表示される赤色とが合わさることにより、より色合いに優れた赤色が表示されることとなる。
【００６０】
・緑色表示
表１に示すように、画素Ｐｉｘに緑色を表示させるパターンは、前述した赤色表示パターンと同様に、少なくとも６通りある。具体的には、第２のセル４１０Ｂを緑色表示状態とし、第１のセル４１０Ａおよび第３のセル４１０Ｃをそれぞれ白色表示状態とするパターン（Ｇ１）と、第２のセル４１０Ｂを緑色表示状態とし、第１のセル４１０Ａおよび第３のセル４１０Ｃのいずれか一方を白色表示状態、他方を黒色表示状態とするパターン（Ｇ２）、（Ｇ３）と、第２のセル４１０Ｂを緑色表示状態とし、第１のセル４１０Ａおよび第３のセル４１０Ｃをそれぞれ黒色表示状態とするパターン（Ｇ４）と、第２のセル４１０Ｂを緑色表示状態とし、第１のセル４１０Ａをシアン色表示状態とし、第３のセル４１０Ｃをイエロー色表示状態とするパターン（Ｇ５）と、第２のセル４１０Ｂを白色表示状態とし、第１のセル４１０Ａをシアン色表示状態とし、第３のセル４１０Ｃをイエロー色表示状態とするパターン（Ｇ６）とを有している。
【００６１】
パターン（Ｇ１）〜（Ｇ４）のうち、パターン（Ｇ１）が最も明るい緑色を表示することができ、パターン（Ｇ４）が最も暗い緑色を表示することができる。パターン（Ｇ２）およびパターン（Ｇ３）は、パターン（Ｇ１）とパターン（Ｇ４）の中間の明るさを有する緑色を表示することができる。
また、パターン（Ｇ６）は、６つのパターンのうち、最も色合いに優れた（すなわち最も濃い）緑色を表示することができる。具体的には、第１のセル４１０Ａで表示されているシアン色と第３のセル４１０Ｃで表示されているイエロー色の混合色は、緑色である。そのため、第２のセル４１０Ｂで表示される緑色と、第１、第３のセル４１０Ａ、４１０Ｃで表示される緑色とが合わさることにより、より色合いに優れた緑色が表示されることとなる。
【００６２】
・青色表示
表１に示すように、画素Ｐｉｘに青色を表示させるパターンは、前述した赤色表示パターンと同様に、少なくとも６通りある。具体的には、第３のセル４１０Ｃを青色表示状態とし、第１のセル４１０Ａおよび第２のセル４１０Ｂをそれぞれ白色表示状態とするパターン（Ｂ１）と、第３のセル４１０Ｃを青色表示状態とし、第１のセル４１０Ａおよび第２のセル４１０Ｂのいずれか一方を白色表示状態、他方を黒色表示状態とするパターン（Ｂ２）、（Ｂ３）と、第３のセル４１０Ｃを青色表示状態とし、第１のセル４１０Ａおよび第２のセル４１０Ｂをそれぞれ黒色表示状態とするパターン（Ｂ４）と、第３のセル４１０Ｃを青色表示状態とし、第１のセル４１０Ａをシアン色表示状態とし、第２のセル４１０Ｂをマゼンタ色表示状態とするパターン（Ｂ５）と、第３のセル４１０Ｃを白色表示状態とし、第１のセル４１０Ａをシアン色表示状態とし、第２のセル４１０Ｂをマゼンタ色表示状態とするパターン（Ｂ６）とを有している。
【００６３】
パターン（Ｂ１）〜（Ｂ４）のうち、パターン（Ｂ１）が最も明るい青色を表示することができ、パターン（Ｂ４）が最も暗い青色を表示することができる。パターン（Ｂ２）およびパターン（Ｂ３）は、パターン（Ｂ１）とパターン（Ｂ４）の中間の明るさを有する青色を表示することができる。
また、パターン（Ｂ６）は、６つのパターンのうち、最も色合いに優れた（すなわち最も濃い）青色を表示することができる。具体的には、第１のセル４１０Ａで表示されているシアン色と第２のセル４１０Ｂで表示されているマゼンタ色の混合色は、青色である。そのため、第３のセル４１０Ｃで表示される青色と、第１、第２のセル４１０Ａ、４１０Ｂで表示される青色とが合わさることにより、より色合いに優れた青色が表示されることとなる。
【００６４】
・黒色表示
表１に示すように、画素Ｐｉｘに黒色を表示させるパターンは、少なくとも１通りある。具体的には、各セル４１０Ａ、４１０Ｂ、４１０Ｃを黒色表示状態とするパターン（ＢＫ１）を有している。
【００６５】
・灰色表示
表１に示すように、画素Ｐｉｘに灰色を表示させるパターンは、少なくとも６通りある。具体的には、第１のセル４１０Ａ、第２の４１０Ｂおよび第３の４１０Ｃのいずれか１つのセルを黒色表示状態とし、他の２つのセルを白色表示状態とするパターン（ＧＲ１）、（ＧＲ２）、（ＧＲ３）と、第１のセル４１０Ａ、第２の４１０Ｂおよび第３の４１０Ｃのいずれか１つのセルを白色表示状態とし、他の２つのセルを黒色表示状態とするパターン（ＧＲ４）、（ＧＲ５）、（ＧＲ６）とを有している。
パターン（ＧＲ１）〜（ＧＲ６）のうち、パターン（ＧＲ１）、（ＧＲ２）、（ＧＲ３）が白色に近い灰色であり、パターン（ＧＲ４）、（ＧＲ５）、（ＧＲ６）が黒色に近い灰色である。
【００６６】
・その他の色の表示状態
表１には、示していないが、画素Ｐｉｘには、上述した色以外の色を表示させることができる。例えば、赤色と緑色の混色を表示させるには、第１のセル４１０Ａを赤色表示状態とし、第２のセル４１０Ｂを緑色表示状態とし、第３のセル４１０Ｃを白色表示状態または黒色表示状態とすればよいし、緑色と青色の混色を表示させるには、第２のセル４１０Ｂを緑色表示状態とし、第３のセル４１０Ｃを青色表示状態とし、第１のセル４１０Ａを白色表示状態または黒色表示状態とすればよいし、青色と赤色の混色を表示させるには、第３のセル４１０Ｃを青色表示状態とし、第１のセル４１０Ａを赤色表示状態とし、第２のセル４１０Ｂを白色表示状態または黒色表示状態とすればよい。
【００６７】
以上、画素Ｐｉｘの色表示について詳細に説明した。
このように、表示装置２０では、各色について、その色を表示するためのパターンを複数有している。特に、赤色表示、緑色表示および青色表示については、それぞれ、少なくとも６通りのパターンを有しており、これら６通りのパターンは、それぞれ、その明るさや色合いが異なっている。そのため、表示装置２０の使用環境（使用空間の明るさ）や使用目的（表示する画像の内容（例えば写真のような鮮明な画像））によって、どのパターンで各色を表示するかを選択することにより、最も適した画像（色）、すなわち使用者が視認しやすい画像（色）を表示することができる。例えば、赤色表示について言えば、表示装置２０を使用する空間が明るければ（表示面１２１に入射する光の量が比較的多ければ）、パターン（Ｒ４）によって暗い赤色を表示し、暗ければ、パターン（Ｒ１）によって明るい赤色を表示するのが好ましく、写真のような画像を表示する場合には、パターン（Ｒ５）によって色合いに優れた（濃い）赤色を表示するのが好ましい。緑色表示、青色表示についても同様である。
【００６８】
ここで、表示装置２０は、図示しない受光センサを有しており、この受光センサによって受光された光量に基づいて、赤色、緑色、青色等を表示するためのパターンを選択するよう構成されていてもよい。具体的には、例えば、光量の異なる２つの閾値（光量が多い方を「第１の閾値」とし、少ない方を「第２の閾値」とする）を設定し、受光センサによって受光された光量が第１の閾値以上である場合には、パターン（Ｒ４）、（Ｇ４）、（Ｂ４）で赤色、緑色、青色を表示し、第２の閾値以上、第１の閾値未満の場合には、パターン（Ｒ２、Ｒ３）、（Ｇ２、Ｇ３）、（Ｂ２、Ｂ３）で赤色、緑色、青色を表示し、第１の閾値未満の場合には、パターン（Ｒ１）、（Ｇ１）、（Ｂ１）で赤色、緑色、青色を表示するように構成されていてもよい。なお、表示装置２０に、受光センサの代わりに、上述のパターンを切り替えられるスイッチを設け、使用者が自らの感覚でスイッチを切り替え、赤色、緑色、青色等を表示するためのパターンを選択できるように構成されていてもよい。
【００６９】
また、表示装置２０は、画像の種類を判別する判別手段を有しており、この判別手段の判別結果に基づいて、赤色、緑色、青色等を表示するためのパターンを選択するよう構成されていてもよい。具体的には、判別手段が、表示される画像が写真のような鮮明な表示が求められる画像であると判断した場合には、パターン（Ｒ５）、（Ｇ５）、（Ｂ５）で赤色、緑色、青色を表示するように構成されていてもよい。
【００７０】
以上のような構成の表示装置２０によれば、フルカラー表示が可能で、かつ、鮮明な白色（反射率の高い）白色を表示することができ高いコントラストを発揮することができる。さらには、表示装置２０は、特に、赤色、緑色、青色等の有彩色をその明るさや色合いを異なられて複数種類表示することができるため、優れた表示特性を発揮することができる。
【００７１】
＜第２実施形態＞
次に、本発明の表示装置の第２実施形態について説明する。
図１０は、本発明の表示装置の第２実施形態を示す断面図である。
以下、第２実施形態の表示装置について、前述した実施形態との相違点を中心に説明し、同様の事項については、その説明を省略する。
本発明の第２実施形態にかかる表示装置は、セルに充填された分散液の構成が異なる以外は、第１実施形態の表示装置と同様である。なお、前述した第１実施形態と同様の構成には、同一符号を付してある。
【００７２】
図１０に示すように、第１のセル４１０Ａには分散液１００Ａ’が充填されており、第２のセル４１０Ｂには、分散液１００Ｂ’が充填されており、第３のセル４１０Ｃには、分散液１００Ｃ’が充填されている。
第１のセル４１０Ａに充填された分散液１００Ａ’は、白色をなす白色粒子（第１の粒子）５Ａと、シアン色をなすシアン色粒子（第２の粒子）６Ａ’を赤色をなす分散媒７Ａ’に分散（懸濁）してなる。白色粒子５Ａおよびシアン色粒子６Ａ’は、互いに反対の極に帯電した電気泳動粒子である。すなわち、白色粒子５Ａおよびシアン色粒子６Ａ’のうちの一方の粒子が正に帯電し、他方の粒子が負に帯電している。また、分散媒７Ａの色は、シアン色粒子６Ａ’の色と補色の関係にある。
【００７３】
第２のセル４１０Ｂに充填された分散液１００Ｂ’は、白色をなす白色粒子（第１の粒子）５Ｂと、マゼンタ色をなすマゼンタ色粒子（第２の粒子）６Ｂ’を緑色をなす分散媒７Ｂ’に分散（懸濁）してなる。白色粒子５Ｂおよびマゼンタ色粒子６Ｂ’は、互いに反対の極に帯電した電気泳動粒子である。すなわち、白色粒子５Ｂおよびマゼンタ色粒子６Ｂ’のうちの一方の粒子が正に帯電し、他方の粒子が負に帯電している。また、分散媒７Ｂ’の色は、マゼンタ色粒子６Ｂの色と補色の関係にある。
【００７４】
第３のセル４１０Ｃに充填された分散液１００Ｃ’は、白色をなす白色粒子（第１の粒子）５Ｃと、イエロー色をなすイエロー色粒子（第２の粒子）６Ｃ’を青色をなす分散媒７Ｃ’に分散してなる。白色粒子５Ｃおよびイエロー色粒子６Ｃ’は、互いに反対の極に帯電した電気泳動粒子である。すなわち、白色粒子５Ｃおよびイエロー色粒子６Ｃ’のうちの一方の粒子が正に帯電し、他方の粒子が負に帯電している。また、分散媒７Ｃ’の色は、イエロー色粒子６Ｃ’の色と補色の関係にある。
このような第２実施形態によっても、第１実施形態と同様の効果を発揮することができる。
【００７５】
＜第３実施形態＞
次に、本発明の表示装置の第３実施形態について説明する。
図１１は、本発明の表示装置の第３実施形態を示す平面図である。
以下、第３実施形態の表示装置について、前述した実施形態との相違点を中心に説明し、同様の事項については、その説明を省略する。
本発明の第３実施形態にかかる表示装置は、セルの配列が異なる以外は、第１実施形態の表示装置と同様である。なお、前述した第１実施形態と同様の構成には、同一符号を付してある。
【００７６】
図１１に示すように、本実施形態では、横断面形状が略正六角形である複数のセル４１０がハニカム状に配列している。また、複数の第１のセル４１０Ａ、複数の第２のセル４１０Ｂおよび複数の第３のセル４１０Ｃが、それぞれ、図１１中縦方向に並んで設けられている。そして、隣り合う３つのセル４１０Ａ、４１０Ｂ、４１０Ｂで１つの画素Ｐｉｘが構成されている。このような構成によれば、セル４１０を密に配置することができるため、より鮮明な画像を表示することができる。
このような第３実施形態によっても、第１実施形態と同様の効果を発揮することができる。
【００７７】
以上説明したような表示装置２０は、それぞれ、各種電子機器に組み込むことができる。電気泳動表示装置を備える本発明の電子機器としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができる。
【００７８】
これらの電子機器のうちから、電子ペーパーを例に挙げ、具体的に説明する。
図１２は、本発明の電子機器を電子ペーパーに適用した場合の実施形態を示す斜視図である。
図１２に示す電子ペーパー６００は、紙と同様の質感および柔軟性を有するリライタブルシートで構成される本体６０１と、表示ユニット６０２とを備えている。このような電子ペーパー６００では、表示ユニット６０２が、前述したような表示装置２０で構成されている。
【００７９】
次に、本発明の電子機器をディスプレイに適用した場合の実施形態について説明する。
図１３は、本発明の電子機器をディスプレイに適用した場合の実施形態を示す図である。このうち、図１３中（ａ）は断面図、（ｂ）は平面図である。
図１３に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図１２に示す構成と同様である。
【００８０】
本体部８０１は、その側部（図１３中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００８１】
また、本体部８０１の表示面側（図１３（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００８２】
また、電子ペーパー６００の挿入方向先端部（図１３中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。これにより、利便性が向上する。
【００８３】
以上、本発明の表示シート、表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、前述した実施形態では、各画素が、３つのセルで構成されている形態について説明したが、これに限定されず、例えば、各画素が、４つ以上のセルで構成されていてもよい。なお、各画素が４つ以上のセルで構成されている場合には、１つの画素に、第１のセル、第２のセルおよび第３のセルの少なくとも１つのセルが複数個存在することとなる。
【符号の説明】
【００８４】
１‥‥基部  ２‥‥基部  ３‥‥第１の電極  ４‥‥第２の電極  ５‥‥第１の粒子  ５Ａ、５Ｂ、５Ｃ‥‥白色粒子  ６‥‥第２の粒子  ６Ａ‥‥赤色粒子  ６Ａ’‥‥シアン色粒子  ６Ｂ‥‥緑色粒子  ６Ｂ’‥‥マゼンタ色粒子  ６Ｃ‥‥青色粒子  ６Ｃ’‥‥イエロー色粒子  ７、７Ａ、７Ａ’、７Ｂ、７Ｂ’、７Ｃ、７Ｃ’‥‥分散媒  １００、１００Ａ、１００Ａ’、１００Ｂ、１００Ｂ’、１００Ｃ、１００Ｃ’‥‥分散液  １１‥‥対向基板  １２‥‥基板  １２１‥‥表示面  ２０‥‥表示装置  ２１‥‥表示シート  ２２‥‥回路基板  ４００‥‥表示層  ４０１‥‥基体  ４０１ａ‥‥凹部  ４０２‥‥蓋体  ４１０‥‥セル  ４１０Ａ‥‥第１のセル  ４１０Ｂ‥‥第２のセル  ４１０Ｃ‥‥第３のセル  ６００……電子ペーパー  ６０１……本体  ６０２……表示ユニット  ８００……ディスプレイ  ８０１……本体部  ８０２ａ、８０２ｂ……搬送ローラ対  ８０３……孔部  ８０４……透明ガラス板  ８０５……挿入口  ８０６……端子部  ８０７……ソケット  ８０８……コントローラー  ８０９……操作部
【図１】
0005540773.tif 000003
【図２】
0005540773.tif 000004
【図３】
0005540773.tif 000005
【図４】
0005540773.tif 000006
【図５】
0005540773.tif 000007
【図６】
0005540773.tif 000008
【図７】
0005540773.tif 000009
【図８】
0005540773.tif 000010
【図９】
0005540773.tif 000011
【図１０】
0005540773.tif 000012
【図１１】
0005540773.tif 000013
【図１２】
0005540773.tif 000014
【図１３】
0005540773.tif 000015